(57)【要約】【課題】オゾン水生成装置であって、オゾンガスの漏出によって環境に悪影響が及ぼされることを防止することが可能なオゾン水生成装置およびそれを備えた衛生器具用洗浄装置を提供する。【解決手段】オゾン水生成装置１００は、気体流路１１４と、液体流路１２１と、オゾン発生器１２０と、エジェクタ１３０と、気液分離部１４０と、筐体１０１と、オゾン検知部１０８と、制御部１８０とを備えている。筐体１０１は、気体流路１１４と、液体流路１２１と、オゾン発生器１２０と、エジェクタ１３０と、気液分離部１４０とを収容する。オゾン検知部１０８は、筐体１０１に設けられ、オゾンを検知する。制御部１８０は、オゾン検知部１０８によってオゾンが検知される場合に、オゾンの生成を停止させるようにオゾン発生器１２０を制御する。【選択図】図１
2013123650.tif 000002
【特許請求の範囲】
【請求項１】
気体状態のオゾンを流通させるための気体流路と、
オゾンが溶解される水を流通させるための液体流路と、
気体状態のオゾンを生成し且つ生成したオゾンを前記気体流路に供給するためのオゾン発生部と、
前記液体流路の一部を形成し、前記気体流路の一端が接続され、且つ、前記オゾン発生部から前記気体流路に供給されるオゾンを、前記液体流路を流通する水に前記気体流路の一端から溶解させるための気液混合部と、
前記液体流路のうちの前記気液混合部よりも水の流れ方向の下流の一部を形成し、前記気体流路の他端が接続され、前記液体流路を流通する水からオゾンの気泡を分離させ且つオゾンの一部を前記気体流路の他端から前記気体流路に排気するための気液分離部と、
前記気体流路と、前記液体流路と、前記オゾン発生部と、前記気液混合部と、前記気液分離部とを収容する筐体と、
前記筐体に設けられ、オゾンを検知するオゾン検知部と、
前記オゾン検知部によってオゾンが検知される場合に、オゾンの生成を停止させるように前記オゾン発生部を制御する制御部とを備えた、オゾン水生成装置。
【請求項２】
前記オゾン検知部は、前記筐体の内部に配置され、前記筐体の内部のオゾンの濃度を検知し、
前記制御部は、前記筐体の内部のオゾンの濃度が所定の濃度以上である場合に、オゾンの生成を停止させるように前記オゾン発生部を制御する、
請求項１に記載のオゾン水生成装置。
【請求項３】
前記オゾン検知部は、前記気液分離部に配置され、前記気液分離部の内部の水位を検知し、
前記制御部は、前記気液分離部の内部の水位が所定の水位以上である場合に、オゾンの生成を停止させるように前記オゾン発生部を制御する、
請求項１に記載のオゾン水生成装置。
【請求項４】
前記気液分離部には、前記気体流路の他端から前記気体流路にオゾンの一部を排気するための流出口が形成され、
前記気液分離部は、前記気液分離部の内部の水位が所定の水位以上である場合に、前記流出口を閉塞する水位調整部を有している、
請求項１から請求項３までのいずれか１項に記載のオゾン水生成装置。
【請求項５】
請求項１から請求項４までのいずれか１項に記載のオゾン水生成装置を備えた、
衛生器具用洗浄装置。
【発明の詳細な説明】
【技術分野】
【０００１】
本発明は、オゾン水生成装置、および、それを備えた衛生器具用洗浄装置に関する。
【背景技術】
【０００２】
水とオゾンとを混合することによって、水中にオゾンが溶解されたオゾン水を生成するオゾン水生成装置として、例えば特開平２−２０７８９２号公報（以下、特許文献１という）に記載されたオゾン水生成装置が従来から知られている。特許文献１に記載されたオゾン水生成装置は、酸素供給手段と、オゾン発生器と、気液混合手段と、密閉タンクと、ガス返送路とを備えている。
【０００３】
特許文献１に記載されたオゾン水生成装置において、酸素供給手段は、当該オゾン水生成装置に酸素を供給する。オゾン発生器は、酸素供給手段からの酸素を受け入れ、オゾンを発生させる。気液混合手段は、オゾン発生手段からのオゾン含有ガスを水と混合する。密閉タンクは、気液混合手段からのオゾン含有水を貯留し、気液分離する。ガス返送路は、密閉タンクによって分離されたオゾン含有ガスをオゾン発生器の流入側に返送させる。
【先行技術文献】
【特許文献】
【０００４】
【特許文献１】特開平２−２０７８９２号公報
【発明の概要】
【発明が解決しようとする課題】
【０００５】
例えば経年劣化または破損等によって、ガス返送路からガス漏れが発生する場合には、数百ｐｐｍを超える高濃度のオゾンガスが大気中に放出される危険がある。そのため、オゾンガスの漏出によって環境に悪影響が及ぼされるという問題がある。
【０００６】
そこで、本発明の目的は、オゾン水生成装置であって、オゾンガスの漏出によって環境に悪影響が及ぼされることを防止することが可能なオゾン水生成装置およびそれを備えた衛生器具用洗浄装置を提供することである。
【課題を解決するための手段】
【０００７】
本発明に従ったオゾン水生成装置は、気体流路と、液体流路と、オゾン発生部と、気液混合部と、気液分離部と、筐体と、オゾン検知部と、制御部とを備えている。気体流路は、気体状態のオゾンを流通させる。液体流路は、オゾンが溶解される水を流通させる。
【０００８】
オゾン発生部は、気体状態のオゾンを生成し且つ生成したオゾンを気体流路に供給する。気液混合部は、液体流路の一部を形成する。気液混合部には、気体流路の一端が接続されている。気液混合部は、オゾン発生部から気体流路に供給されるオゾンを、液体流路を流通する水に気体流路の一端から溶解させる。気液分離部は、液体流路のうちの気液混合部よりも水の流れ方向の下流の一部を形成する。気液分離部には、気体流路の他端が接続されている。気液分離部は、液体流路を流通する水からオゾンの気泡を分離させ且つオゾンの一部を気体流路の他端から気体流路に排気する。
【０００９】
筐体は、気体流路と、液体流路と、オゾン発生部と、気液混合部と、気液分離部とを収容する。オゾン検知部は、筐体に設けられ、オゾンを検知する。制御部は、オゾン検知部によってオゾンが検知される場合に、オゾンの生成を停止させるようにオゾン発生部を制御する。
【００１０】
本発明によれば、気体流路と液体流路とオゾン発生部と気液混合部と気液分離部とが筐体に収容されている。そのため、筐体の内部において気体状態のオゾンが漏出する場合でも、筐体の外部へのオゾンの放出を防止することができる。
【００１１】
さらに、筐体の内部において気体状態のオゾンが漏出している場合には、筐体に設けられたオゾン検知部により、オゾンを検知することができる。オゾン検知部によってオゾンが検知される場合には、制御部がオゾン発生部を制御することにより、オゾン発生部はオゾンの生成を停止する。これにより、筐体の内部にオゾンがさらに漏出することを防止することができる。
【００１２】
したがって、本発明によれば、オゾンガスの漏出によって環境に悪影響が及ぼされることを防止することが可能なオゾン水生成装置を提供することができる。
【００１３】
本発明に従ったオゾン水生成装置において、好ましくは、オゾン検知部は、筐体の内部に配置されている。オゾン検知部は、好ましくは、筐体の内部のオゾンの濃度を検知する。制御部は、好ましくは、筐体の内部のオゾンの濃度が所定の濃度以上である場合に、オゾンの生成を停止させるようにオゾン発生部を制御する。
【００１４】
この構成によれば、筐体の内部において気体状態のオゾンが漏出している場合には、筐体の内部に配置されたオゾン検知部によってオゾンの濃度を検知することができる。筐体の内部のオゾンの濃度が所定の濃度以上である場合に、制御部がオゾン発生部を制御することにより、オゾン発生部はオゾンの生成を停止する。これにより、筐体の内部にオゾンがさらに漏出することを防止することができる。
【００１５】
本発明に従ったオゾン水生成装置において、好ましくは、オゾン検知部は、気液分離部に配置されている。オゾン検知部は、好ましくは、気液分離部の内部の水位を検知する。制御部は、好ましくは、気液分離部の内部の水位が所定の水位以上である場合に、オゾンの生成を停止させるようにオゾン発生部を制御する。
【００１６】
本発明に従ったオゾン水生成装置の気液分離部と気液混合部との間において気体状態のオゾンが気体流路から漏出している場合には、気液分離部の内部の気体の容積が減少することにより、オゾン水の水位が上昇する。本発明に従ったオゾン水生成装置においては、オゾン検知部は、気液分離部の内部の水位を検知する。また、制御部は、気液分離部の内部の水位が所定の水位以上である場合に、オゾンの生成を停止させるようにオゾン発生部を制御する。このように、本発明に従ったオゾン水生成装置の構成によれば、気液分離部の内部の水位に基づいて、筐体の内部にオゾンがさらに漏出することを防止することができる。
【００１７】
本発明に従ったオゾン水生成装置において、好ましくは、気体流路の他端から気体流路にオゾンの一部を排気するための流出口が気液分離部に形成されている。気液分離部は、好ましくは、水位調整部を有している。水位調整部は、好ましくは、気液分離部の内部の水位が所定の水位以上である場合に、流出口を閉塞する。
【００１８】
この構成によれば、気液分離部と気液混合部との間において気体状態のオゾンが気体流路から漏出している場合でも、水位調整部が流出口を閉塞することにより、気液分離部から気体流路へのオゾンの流出を停止することができる。これにより、筐体の内部にオゾンがさらに漏出することを防止することができる。
【００１９】
また、水位調整部が流出口を閉塞することにより、気液分離部の内部に勢いよく溶液が流入する場合でも、流出口から溶液が噴出することを防止することができる。
【００２０】
本発明に従った衛生器具用洗浄装置は、上記のいずれかのオゾン水生成装置を備えていることが好ましい。
【００２１】
オゾン水生成装置を備えた衛生器具用洗浄装置は、気体状態のオゾンの漏出によって環境に悪影響が及ぼされることを防止することができる。
【発明の効果】
【００２２】
以上のように、本発明によれば、オゾン水生成装置であって、オゾンガスの漏出によって環境に悪影響が及ぼされることを防止することが可能なオゾン水生成装置およびそれを備えた衛生器具用洗浄装置を提供することができる。
【図面の簡単な説明】
【００２３】
【図１】本発明に従ったオゾン水生成装置の一例を模式的に示す図である。
【図２】本発明に従ったオゾン水生成装置の一例の制御部の構成を示すブロック図である。
【図３】本発明に従ったオゾン水生成装置の一例の気液混合器の断面図である。
【図４】本発明に従ったオゾン水生成装置の別の一例を模式的に示す図である。
【図５】本発明に従ったオゾン水生成装置の別の一例の制御部の構成を示すブロック図である。
【図６】本発明に従ったオゾン水生成装置の別の一例の気液混合器の一例の断面図である。
【図７】本発明に従ったオゾン水生成装置の別の一例の気液混合器の別の一例の断面図である。
【図８】本発明に従ったオゾン水生成装置の別の一例の気液混合器のさらに別の一例の断面図である。
【図９】衛生器具設備の一例としての便所を洗浄するためのオゾン水生成装置を備えた衛生器具用洗浄装置の一例を示す模式図である。
【図１０】衛生器具の一例としての小便器を洗浄するためのオゾン水生成装置を備えた衛生器具用洗浄装置の一例を示す模式図である。
【図１１】衛生器具の一例としての大便器を洗浄するためのオゾン水生成装置を備えた衛生器具用洗浄装置の一例を示す模式図である。
【発明を実施するための形態】
【００２４】
以下、本発明の実施の形態を図面に基づいて説明する。
【００２５】
（第１実施形態）
図１に、本発明に係るオゾン水生成装置１００を示す。オゾン水生成装置１００は、オゾンが溶解した水を供給する装置である。オゾン水生成装置１００は、気体流路１１４と、液体流路１２１と、オゾン発生器１２０と、気液混合部の一例としてのエジェクタ１３０と、気液分離器の一例としての気液分離部１４０と、筐体１０１とを備えている。
【００２６】
オゾン水生成装置１００は、当該装置の外部から気体を導入する気体導入部１１０を備えている。気体導入部１１０は、管路１１１と逆止弁１１２とを有している。管路１１１の一端は、酸素または空気を貯蔵したガスボンベ（図示せず）等と接続している。ただし、管路１１１の一端は、大気圧に開放されていてもよい。なお、管路１１１と気体流路１１４と液体流路１２１とは、一般的な配管によって形成されており、図示しない管状部材によって形成されている。
【００２７】
管路１１１の他端は、接続部１１３を介して気体流路１１４に接続されている。気体流路１１４は、気体状態のオゾンを流通させるためのものである。気体流路１１４には、逆止弁１１５が配置されている。
【００２８】
なお、管路１１１には、オゾンガスを還元する機能を有するオゾンフィルタ（図示せず）が配置されていてもよい。オゾンフィルタは、例えば、オゾンを分解するための触媒が、格子状に構成された紙またはアルミニウムに付着されたもの等、一般的なオゾンフィルタである。
【００２９】
オゾン発生器１２０は、気体状態のオゾンを生成し且つ生成したオゾンを気体流路１１４に供給する。気体導入部１１０によって導入された空気または酸素等の気体は、管路１１１と気体流路１１４とを通ってオゾン発生器１２０に導入される。オゾン発生器１２０は、金属電極によって形成されたオゾン発生素子（図示せず）を有している。オゾン発生素子は、導入された空気または酸素を材料にしてオゾンガスを発生させる。なお、オゾン発生器１２０の構成は、特に限定されず、気体流路１１４から導入される空気または酸素等の気体からオゾンガスを生成するように構成されていればよい。オゾン発生器１２０としては、一般的なオゾン発生器を用いることが可能である。
【００３０】
オゾン水生成装置１００において、液体としての水は液体流路１２１を流通する。液体流路１２１は、オゾンが溶解される水を流通させる。オゾン水生成装置１００は、給水部１５０を備えている。オゾン水生成装置１００の使用者が図示しない水道蛇口を開放することにより、原水としての水道水が給水部１５０からオゾン水生成装置１００に供給される。ただし、原水は、水道水に限定されず、浄化もしくは精製された水であってもよい。
【００３１】
液体流路１２１は、給水部１５０に接続されている。給水部１５０は、図示しない電磁弁を有している。給水部１５０は、オゾン水生成装置１００の本体（図示せず）の外部に配置されていてもよく、本体の内部に収容されていてもよい。給水部１５０の弁は、液体流路１２１のうちのエジェクタ１３０よりも水の流れ方向の上流の部分を開閉する。
【００３２】
オゾン水生成装置１００においては、気液混合部として、エジェクタ型のものが利用されている。気液混合部の一例としてのエジェクタ１３０は、液体流路１２１の一部を形成している。エジェクタ１３０には、気体の流入口１３３と液体の流入口１３１とオゾン水の流出口１３２とが形成されている。気体流路１１４の一端は、流入口１３３を介してエジェクタ１３０に接続されている。
【００３３】
オゾン発生器１２０から気体流路１１４に供給されるオゾンは、気体流路１１４の一端からエジェクタ１３０に導入される。エジェクタ１３０に導入されるオゾンは、液体流路１２１を流通する水に混合され、且つ、液体流路１２１の流れの圧力に基づいて水に溶解される。このようにして、エジェクタ１３０は、液体流路１２１を流通する水に、オゾン発生器１２０から気体流路１１４に供給される気体としてのオゾンを溶解させる。
【００３４】
エジェクタ１３０よりも、液体流路１２１を流通する水の流れ方向の下流には、気液分離部１４０が配置されている。気液分離部１４０は、液体流路１２１のうちのエジェクタ１３０よりも水の流れ方向の下流の一部を形成している。気液分離部１４０には、気体の流出口１４３とオゾン水の流入口１４１とオゾン水の流出口１４２とが形成されている。流出口１４３には、気体流路１１４の他端が接続されている。
【００３５】
流入口１４１から気液分離部１４０の内部に流入したオゾン水には、オゾンの気泡が、水に完全に溶解しないまま残っている。気液分離部１４０において、オゾンの気泡と水中に含まれる空気等の気体とは、液体流路１２１を流通する水から分離された後に、流出口１４３から気体流路１１４に排出される。気液分離部１４０は、液体流路１２１を流通する水からオゾンの気泡を含む気体を分離させる。また、気液分離部１４０は、水から分離されたオゾンの一部を気体流路１１４の他端から気体流路１１４に排出する。
【００３６】
筐体１０１は、気体流路１１４と、液体流路１２１と、オゾン発生器１２０と、エジェクタ１３０と、気液分離部１４０とを収容する。筐体１０１には、開口部１２と開口部１３と開口部１４とが形成されている。気体導入部１１０の管路１１１を形成する管状部材は、開口部１４を通り且つ筐体１０１を貫通している。同様に、給水部１５０とエジェクタ１３０とを繋ぐ液体流路１２１の一部を形成する管状部材は、開口部１２を通り且つ筐体１０１を貫通している。気液分離部１４０と吐水部１６０とを繋ぐ液体流路１２１の一部を形成する管状部材は、開口部１３を通り且つ筐体１０１を貫通している。
【００３７】
管路１１１を形成する管状部材の外周面（図示せず）と、開口部１４の縁（図示せず）との間の隙間は埋められている。同様に、給水部１５０とエジェクタ１３０とを繋ぐ液体流路１２１の一部を形成する管状部材の外周面（図示せず）と、開口部１２の縁（図示せず）との間の隙間は埋められている。気液分離部１４０と吐水部１６０とを繋ぐ液体流路１２１の一部を形成する管状部材の外周面（図示せず）と、開口部１３の縁（図示せず）との間の隙間は埋められている。このようにして、筐体１０１の内部は、密閉された空間が形成されている。
【００３８】
オゾン水生成装置１００は、制御部１８０を備えている。制御部１８０は、筐体１０１の内部に配置されていてもよく、筐体１０１の外部に配置されていてもよい。
【００３９】
筐体１０１の内部には、オゾンを検知するオゾン検知部１０８が配置されている。オゾン検知部１０８は、筐体１０１の内部のオゾンの濃度を検知する。濃度センサとしてのオゾン検知部１０８は、電気的または電子的に制御部１８０に接続されている。
【００４０】
図２に示すように、制御部１８０は、データ読み取り部１８１と、判断部１８２とオゾン発生制御部１８３とを有している。データ読み取り部１８１は、オゾン検知部１０８から送信される信号を受け取る。オゾン検知部１０８から送信される信号には、筐体１０１の内部のオゾンの濃度の情報が含まれている。判断部１８２は、データ読み取り部１８１が受け取った信号に基づき、筐体１０１の内部のオゾンの濃度が所定の濃度以上であるかどうかを判定する。
【００４１】
オゾン発生制御部１８３は、オゾン発生器１２０を制御する。オゾン発生制御部１８３は、例えば図示しない電源回路を制御することにより、オゾン発生器１２０の電極に印加される電圧を調整する。判断部１８２によって、筐体１０１（図１参照）の内部のオゾンの濃度が所定の濃度以上であることが判定される場合には、オゾン発生制御部１８３は、オゾンの生成を停止させるようにオゾン発生器１２０の電極に印加される電圧を調整することにより、オゾン発生器１２０を制御する。
【００４２】
このようにして、制御部１８０は、オゾン検知部１０８によってオゾンが検知される場合に、オゾンの生成を停止させるようにオゾン発生器１２０を制御する。詳細には、制御部１８０は、筐体１０１の内部のオゾンの濃度が所定の濃度以上である場合に、オゾンの生成を停止させるようにオゾン発生器１２０を制御する。
【００４３】
図３に示すように、気液分離部１４０は、容器１０４と弁６０とを有している。容器１０４は、天井面１４６と、底面１４５と、周壁１４９とを有している。容器１０４は、例えば樹脂材料によって形成されている。周壁１４９は、天井面１４６と底面１４５との間を上下方向に延びている。例えば、図３の左右方向のことを容器１０４の幅方向という。また、図３の上下方向は、鉛直上下方向と略一致している。
【００４４】
オゾン水の流入口１４１とオゾン水の流出口１４２とは、周壁１４９に形成されている。流入口１４１は、容器１０４の内部と外部とを連通する。上下方向に沿った流入口１４１の下端の位置は、底面１４５の位置と略一致している。
【００４５】
一方、流出口１４２は、容器１０４の内部と外部とを連通する。流入口１４１と流出口１４２とは、容器１０４の幅方向に沿って互いに対向するように周壁１４９に形成されている。上下方向に沿った流出口１４２の下端の位置は、底面１４５の位置と略一致している。気体の流出口１４３は、天井面１４６に形成されている。流出口１４３は、容器１０４の内部と外部とを連通する。
【００４６】
容器１０４の上壁の一部には、筒状部１４４が形成されている。筒状部１４４の下端の開口は、流出口１４３である。筒状部１４４の上端から下端までは、気体流路１１４（図１参照）の一部を形成している。気体流路１１４の他端において、気体流路１１４と容器１０４の内部とは、流出口１４３によって連通されている（図１参照）。
【００４７】
容器１０４の左側の周壁１４９には流入口１４１を容器１０４の外方から覆うように、ノズル２１ｐが取り付けられている。容器１０４の右側の周壁１４９には流出口１４２を容器１０４の外方から覆うように、ノズル２２ｐが取り付けられている。ノズル２１ｐの内部とノズル２２ｐの内部とは、液体流路１２１の一部を形成している。
【００４８】
容器１０４の内部において、周壁１４９の内面１４９ｓと天井面１４６と底面１４５とに囲まれた空間は、液体流路１２１の一部を形成している。なお、周壁１４９の内面１４９ｓとは、容器１０４の内部に面した面であり、オゾンを含む溶液と接触する面のことである。
【００４９】
弁６０は、水位調整部の一例であって、気液分離部１４０の内部の水位が所定の水位以上である場合に、気体の流出口１４３を閉塞する。弁６０は、栓部６１とフロート６２とフロートガイド６３と支持部６４とを有している。支持部６４は、フロートガイド６３を介してフロート６２および栓部６１を支持する部分であって、天井面１４６に配置されている。フロートガイド６３は、支持部６４を中心に回転自在であるように、支持部６４に固定されている。フロートガイド６３は、ロッド状もしくは板状の部材であって、支持部６４とフロート６２とを接続している。
【００５０】
栓部６１は、流出口１４３を塞ぐ栓としての機能を有している。栓部６１は、略円錐形状を有している。栓部６１は、フロートガイド６３の上面に固定されている。なお、栓部６１の形状は、特に限定されない。
【００５１】
フロート６２は、容器１０４に貯留される溶液の比重よりも小さい比重を有する物質からなる物体、または、所定の比重を有する中空の物体等によって形成されている。フロート６２は、容器１０４内部の溶液の液位に応じて上下に移動する。容器１０４へ貯留される溶液が増加することによって液位が所定の液位よりも高くなったときに、流出口１４３が弁６０によって塞がれる。容器１０４内部の液位が所定の液位よりも低いときには、流出口１４３は開放されている。このように、弁６０は、容器１０４の内部に溜められた液量に応じて流出口１４３を開閉する。
【００５２】
弁６０の構成によれば、フロートガイド６３の回転中心から栓部６１までの距離が、フロートガイド６３の回転中心からフロートガイド６３とフロート６２との接続部分までの距離よりも小さい。そのため、てこの原理によって、流出口１４３をより強固に閉塞することできる。さらに、比較的小さい浮力によってフロート６２が上下に移動する場合でも、栓部６１は流出口１４３を強固に閉塞することが可能であるため、弁６０の小型化が可能である。そのため、容器１０４内部の容積を大きく保ったまま、弁６０を配置させることができる。
【００５３】
次に、図１と図３とを用いて、オゾン水生成装置１００の水の流れと、オゾンを含む気体の流れとを説明する。オゾン水生成装置１００において、液体としての水は、給水部１５０から液体流路１２１に供給される。液体流路１２１を流れる水は、流入口１３１からエジェクタ１３０の内部に流入する。エジェクタ１３０の内部を流通した水は、流出口１３２からエジェクタ１３０の外部に流出する。
【００５４】
エジェクタ１３０の内部には、オゾン発生器１２０が発生させた気体のオゾンが流入口１３３から流入する。流入口１３３から流入した気体のオゾンは、液体流路１２１としてエジェクタ１３０の内部を流通する水に混合される。水に混合されたオゾンの一部は、水流の圧力に基づいて水に溶解される。オゾンを含む水は、流出口１３２からエジェクタ１３０の外部に流出する。
【００５５】
流出口１３２からエジェクタ１３０の外部に流出したオゾンを含む水は、流入口１４１から気液分離部１４０の内部に流入する。図３に示すように、ノズル２１ｐの内部から容器１０４の内部に流入したオゾンを含む水は、底面１４５から上方に向かって容器１０４の内部を流通するとともに、流入口１４１から流出口１４２に向かって容器１０４の幅方向に移動する。底面１４５と天井面１４６と周壁１４９の内面１４９ｓとに囲まれた空間に貯められた溶液は、流出口１４２の近傍において次第に加速されながら、流出口１４２から容器１０４の外部に流出する。
【００５６】
溶液の気泡に含まれるオゾンまたは空気等の気体は、容器１０４の内部を流通する間に、溶液から分離される。このように、溶液の気泡に含まれるオゾンまたは空気等の気体が溶液から分離された水として、オゾンが水に溶解したオゾン水が生成される。オゾンが水に溶解したオゾン水は、流出口１４２からノズル２２ｐの内部に流出することにより、気液分離部１４０の外部に流出する。
【００５７】
一方、溶液から分離されたオゾンまたは空気等の気体は、容器１０４の内部を流通する間に、オゾン水の水面の上方に集められる。水面の上方に集められた気体は、弁６０が流出口１４３を開放している場合に、流出口１４３から筒状部１４４の内部を流通することにより、気液分離部１４０の外部に排出される。
【００５８】
気液分離部１４０において水から分離された空気とオゾンの一部とは、流出口１４３から気体流路１１４に流出する（図１参照）。水に溶解されていないオゾンと空気とは、気体流路１１４に排出された後に流入口１３３からエジェクタ１３０（図１参照）の内部に再び流入する。エジェクタ１３０において水に溶解されなかったオゾンは、気体流路１１４と、エジェクタ１３０と気液分離部１４０との間に延びる液体流路１２１の一部とを循環する間に、液体流路１２１を流通する水に次第に溶解される。オゾンが溶解したオゾン水は、流出口１４２から気液分離部１４０の外部に排出された後に、吐水部１６０からオゾン水生成装置１００の外部に供給される。
【００５９】
例えば気液分離部１４０とエジェクタ１３０との間に延びる気体流路１１４（図１参照）の一部からオゾンが漏出している場合、または、液体流路１２１を流通する水の量が一時的に増加する場合等には、容器１０４の内部に貯められた溶液の量が増加して水位が上昇する。容器１０４の内部の水位が所定の水位以上である場合には、弁６０によって流出口１４３が閉塞される。
【００６０】
流出口１４３が閉塞されている場合には、気液分離部１４０からオゾン発生器１２０（図１参照）にオゾンが供給されないため、オゾン発生器１２０には気体導入部１１０（図１参照）から必要な気体が導入される。この場合には、オゾン発生器１２０が気体導入部１１０から気体を取り入れるように、制御部１８０（図２参照）がオゾン発生器１２０を制御する。このように、流出口１４３が弁６０によって閉塞されている場合に、オゾン発生器１２０は、気体導入部１１０から気体を導入することによって、オゾンを生成することができる。
【００６１】
以上のように、オゾン水生成装置１００は、気体流路１１４と、液体流路１２１と、オゾン発生器１２０と、エジェクタ１３０と、気液分離部１４０と、筐体１０１と、オゾン検知部１０８と、制御部１８０とを備えている。気体流路１１４は、気体状態のオゾンを流通させる。液体流路１２１は、オゾンが溶解される水を流通させる。
【００６２】
オゾン発生器１２０は、気体状態のオゾンを生成し且つ生成したオゾンを気体流路１１４に供給する。エジェクタ１３０は、液体流路１２１の一部を形成する。エジェクタ１３０には、気体流路１１４の一端が接続されている。エジェクタ１３０は、オゾン発生器１２０から気体流路１１４に供給されるオゾンを、液体流路１２１を流通する水に気体流路１１４の一端から溶解させる。気液分離部１４０は、液体流路１２１のうちのエジェクタ１３０よりも水の流れ方向の下流の一部を形成する。気液分離部１４０には、気体流路１１４の他端が接続されている。気液分離部１４０は、液体流路１２１を流通する水からオゾンの気泡を分離させ且つオゾンの一部を気体流路１１４の他端から気体流路１１４に排気する。
【００６３】
筐体１０１は、気体流路１１４と、液体流路１２１と、オゾン発生器１２０と、エジェクタ１３０と、気液分離部１４０とを収容する。オゾン検知部１０８は、筐体１０１に設けられ、オゾンを検知する。制御部１８０は、オゾン検知部１０８によってオゾンが検知される場合に、オゾンの生成を停止させるようにオゾン発生器１２０を制御する。
【００６４】
オゾン水生成装置１００によれば、気体流路１１４と液体流路１２１とオゾン発生器１２０とエジェクタ１３０と気液分離部１４０とが筐体１０１に収容されている。そのため、筐体１０１の内部において気体状態のオゾンが漏出する場合でも、筐体１０１の外部へのオゾンの放出を防止することができる。
【００６５】
さらに、筐体１０１の内部において気体状態のオゾンが漏出している場合には、筐体１０１に設けられたオゾン検知部１０８により、オゾンを検知することができる。オゾン検知部１０８によってオゾンが検知される場合には、制御部１８０がオゾン発生器１２０を制御することにより、オゾン発生器１２０はオゾンの生成を停止する。これにより、筐体１０１の内部にオゾンがさらに漏出することを防止することができる。
【００６６】
このようにして、オゾンガスの漏出によって環境に悪影響が及ぼされることを防止することが可能なオゾン水生成装置１００を提供することができる。
【００６７】
オゾン水生成装置１００において、オゾン検知部１０８は、筐体１０１の内部に配置されている。オゾン検知部１０８は、筐体１０１の内部のオゾンの濃度を検知する。制御部１８０は、筐体１０１の内部のオゾンの濃度が所定の濃度以上である場合に、オゾンの生成を停止させるようにオゾン発生器１２０を制御する。
【００６８】
この構成によれば、筐体１０１の内部において気体状態のオゾンが漏出している場合には、筐体１０１の内部に配置されたオゾン検知部１０８によってオゾンの濃度を検知することができる。筐体１０１の内部のオゾンの濃度が所定の濃度以上である場合に、制御部１８０がオゾン発生器１２０を制御することにより、オゾン発生器１２０はオゾンの生成を停止する。これにより、筐体１０１の内部にオゾンがさらに漏出することを防止することができる。
【００６９】
オゾン水生成装置１００において、気液分離部１４０の容器１０４に流出口１４３が形成されている。流出口１４３は、気体流路１１４の他端から気体流路１１４にオゾンの一部を排気させる。気液分離部１４０は、弁６０を有している。弁６０は、気液分離部１４０の内部の水位が所定の水位以上である場合に、流出口１４３を閉塞する。
【００７０】
この構成によれば、気液分離部１４０とエジェクタ１３０との間において気体状態のオゾンが気体流路１１４から漏出している場合でも、弁６０が流出口１４３を閉塞することにより、気液分離部１４０から気体流路１１４へのオゾンの流出を停止することができる。これにより、筐体１０１の内部にオゾンがさらに漏出することを防止することができる。また、弁６０が流出口１４３を閉塞することにより、容器１０４の内部に勢いよく溶液が流入する場合でも、流出口１４３から溶液が噴出することを防止することができる。
【００７１】
なお、筐体１０１の内部のオゾンの濃度を検知するオゾン検知部１０８は、筐体１０１の外部に配置されていてもよい。
【００７２】
なお、オゾン水生成装置１００において、気体流路１１４には、逆止弁１１５が配置されていなくてもよい。つまり、オゾン水生成装置１００は、逆止弁１１５を備えていなくてもよい。
【００７３】
なお、ノズル２１ｐが延びる方向と、ノズル２２ｐが延びる方向とは、それぞれ異なっていてもよい。ノズル２１ｐが延びる方向と、ノズル２２ｐが延びる方向とは、略水平方向であることに限定されない。ただし、ノズル２１ｐは、ノズル２１ｐの内部から容器１０４の内部に略水平方向に溶液が流入するように、容器１０４に取り付けられていることが好ましい。また、ノズル２２ｐは、容器１０４の内部からノズル２２ｐの内部に略水平方向に溶液が流出するように、容器１０４に取り付けられていることが好ましい。
【００７４】
流出口１４３は、天井面１４６にではなく、流入口１４１が形成された周壁１４９と反対側の周壁１４９（図３の右側の周壁１４９）に形成されていてもよい。
【００７５】
弁６０は、図３に示す構成を備えていることに限定されない。例えば容器１０４においての流出口１４３の位置に応じて、栓部６１が周壁１４９に対向するように、弁６０は構成されていてもよい。
【００７６】
なお、気体導入部１１０は、オゾン水生成装置１００の外部から内部に気体を導入させることが可能であるように構成されていればよい。例えば、気体導入部１１０の構成は、逆止弁１１２の代わりにオゾン発生器１２０に供給される気体量を制御することが可能な開閉バルブまたは電磁弁等を備えていてもよい。あるいは、気体導入部１１０は、逆止弁１１２を備えていなくてもよく、接続部１１３に三方向弁が配置されたような構成であってもよい。この三方向弁は、例えば、電子的に制御されるものであって、制御部１８０によって制御される。
【００７７】
接続部１１３の位置は、気体流路１１４のうち、オゾン発生器１２０とエジェクタ１３０との間であってもよい。つまり、管路１１１は、気体流路１１４のうち、オゾン発生器１２０とエジェクタ１３０との間を延びる部分に接続されていてもよい。
【００７８】
なお、気液混合部の構成は、エジェクタ型のものに限定されず、気体流路１１４から導入されたオゾンと液体流路１２１を流通する水とを混合させ、且つ、オゾンを水に溶解させる構成を有していればよい。
【００７９】
（第２実施形態）
以下では、第２実施形態に係るオゾン水生成装置２００について、図４〜図６を用いて説明する。なお、以下において、第１実施形態に係るオゾン水生成装置１００の構成と同様の機能を有する構成には同符号を付し、その説明を省略する。
【００８０】
以下に説明するように、第２実施形態に係るオゾン水生成装置２００が第１実施形態に係るオゾン水生成装置１００と異なる点は、オゾン水生成装置２００は、気液分離部１４０の代わりに気液分離部２４０を備え、且つ、オゾン検知部１０８の代わりに水位検知部２０８を備えている。
【００８１】
図６に示すように、気液分離部２４０の上部には、水位検知部２０８が配置されている。水位検知部２０８は、容器１０４の内部の水位として、弁６０の栓部６１の位置を検知する。位置センサとしての水位検知部２０８は、電気的または電子的に制御部１８０（図５参照）に接続されている。水位検知部２０８は、オゾン検知部の一例である。
【００８２】
データ読み取り部１８１は、水位検知部２０８から送信される信号を受け取る。水位検知部２０８から送信される信号には、容器１０４においての栓部６１の位置の情報が含まれている。判断部１８２は、データ読み取り部１８１が受け取った信号に基づき、栓部６１の位置が所定の位置よりも上方であるかどうか、または、栓部６１の位置が所定の位置に達したか否かを判定する。
【００８３】
判断部１８２によって、栓部６１の位置が所定の位置よりも上方であることが判定される場合には、オゾン発生制御部１８３は、オゾンの生成を停止させるようにオゾン発生器１２０の電極に印加される電圧を調整することにより、オゾン発生器１２０を制御する。あるいは、判断部１８２によって、栓部６１の位置が所定の位置に達したことが判定される場合に、オゾン発生制御部１８３は、オゾンの生成を停止させるようにオゾン発生器１２０の電極に印加される電圧を調整することにより、オゾン発生器１２０を制御する。
【００８４】
例えば気液分離部２４０とエジェクタ１３０との間に延びる気体流路１１４（図４参照）の一部からオゾンが漏出している場合には、容器１０４の内部に貯められた溶液の量が増加して水位が上昇する。容器１０４の内部の水位が所定の水位以上である場合には、弁６０によって流出口１４３が閉塞される。そのため、容器１０４においての栓部６１の位置を水位検知部２０８が検知することにより、気体流路１１４の一部からオゾンが漏出しているか否かを判断部１８２が判定することができる。
【００８５】
なお、水位検知部２０８は、栓部６１が流出口１４３を閉塞したか否かを検知していてもよい。あるいは、水位検知部２０８は、栓部６１が流出口１４３を閉塞することにより、気液分離部２４０から気体流路１１４への気体の流通が停止されたか否かを検知していてもよい。
【００８６】
このようにして、制御部１８０は、容器１０４の内部の水位が所定の水位以上である場合に、オゾンの生成を停止させるようにオゾン発生器１２０を制御する。つまり、制御部１８０は、水位検知部２０８によって検知される容器１０４においての栓部６１の位置に基づいてオゾンが検知される場合に、オゾンの生成を停止させるようにオゾン発生器１２０を制御する。
【００８７】
以上のように、オゾン水生成装置２００において、オゾン検知部としての水位検知部２０８は、気液分離部２４０に配置されている。水位検知部２０８は、気液分離部２４０の容器１０４の内部の水位を検知する。制御部１８０は、容器１０４の内部の水位が所定の水位以上である場合に、オゾンの生成を停止させるようにオゾン発生器１２０を制御する。
【００８８】
オゾン水生成装置２００の気液分離部２４０とエジェクタ１３０との間において気体状態のオゾンが気体流路１１４から漏出している場合には、気液分離部２４０の容器１０４の内部の気体の容積が減少することにより、オゾン水の水位が上昇する。オゾン水生成装置２００においては、水位検知部２０８は、気液分離部２４０の容器１０４の内部の水位を検知する。また、制御部１８０は、容器１０４の内部の水位が所定の水位以上である場合に、オゾンの生成を停止させるようにオゾン発生器１２０を制御する。このように、オゾン水生成装置２００によれば、気液分離部２４０の内部の水位に基づいて、筐体１０１の内部にオゾンがさらに漏出することを防止することができる。
【００８９】
（第３実施形態）
以下では、第３実施形態に係るオゾン水生成装置について、図７を用いて説明する。なお、以下において、第１実施形態に係るオゾン水生成装置１００（図１参照）の構成および第２実施形態に係るオゾン水生成装置２００（図４参照）の構成と同様の機能を有する構成には同符号を付し、その説明を省略する。
【００９０】
以下に説明するように、第３実施形態に係るオゾン水生成装置が第２実施形態に係るオゾン水生成装置２００と異なる点は、第３実施形態に係るオゾン水生成装置は、気液分離部２４０の代わりに気液分離部３４０を備え、且つ、水位検知部２０８の代わりに水位検知部３０８を備えている。
【００９１】
図７に示すように、水位検知部３０８は、気液分離部３４０において、容器１０４の周壁１４９の外部に配置されている。水位検知部３０８は、容器１０４の内部の水位として、フロート６２の位置を検知する。位置センサとしての水位検知部３０８は、電気的または電子的に制御部１８０（図５参照）に接続されている。水位検知部３０８は、オゾン検知部の一例である。
【００９２】
なお、以下に説明する事項を除いて、第３実施形態に係るオゾン水生成装置の制御部の構成は、第２実施形態に係るオゾン水生成装置２００の制御部１８０（図５参照）と同様である。データ読み取り部１８１は、水位検知部３０８から送信される信号を受け取る。水位検知部３０８から送信される信号には、容器１０４においてのフロート６２の位置の情報が含まれている。判断部１８２は、データ読み取り部１８１が受け取った信号に基づき、フロート６２の位置が所定の位置よりも上方であるかどうか、または、フロート６２の位置が所定の位置に達したか否かを判定する。
【００９３】
判断部１８２によって、例えばフロート６２の位置が所定の位置よりも上方であることが判定される場合には、オゾン発生制御部１８３は、オゾンの生成を停止させるようにオゾン発生器１２０の電極に印加される電圧を調整することにより、オゾン発生器１２０を制御する。
【００９４】
このようにして、制御部１８０は、容器１０４の内部の水位が所定の水位以上である場合に、オゾンの生成を停止させるようにオゾン発生器１２０を制御する。つまり、制御部１８０は、水位検知部３０８によって検知される容器１０４においてのフロート６２の位置に基づいてオゾンが検知される場合に、オゾンの生成を停止させるようにオゾン発生器１２０を制御する。
【００９５】
（第４実施形態）
以下では、第４実施形態に係るオゾン水生成装置について、図８を用いて説明する。なお、以下において、第１実施形態に係るオゾン水生成装置１００（図１参照）の構成、第２実施形態に係るオゾン水生成装置２００（図４参照）の構成、および、第３実施形態に係るオゾン水生成装置の構成と同様の機能を有する構成には同符号を付し、その説明を省略する。
【００９６】
以下に説明するように、第４実施形態に係るオゾン水生成装置が第２実施形態に係るオゾン水生成装置２００と異なる点は、第４実施形態に係るオゾン水生成装置は、気液分離部２４０の代わりに、水位調整部としての弁を有していない気液分離部４４０を備え、且つ、水位検知部２０８の代わりに水位検知部４０８を備えている。
【００９７】
図８に示すように、水位検知部４０８は、気液分離部４４０の上部において、容器１０４の周壁１４９の外部に配置されている。水位検知部４０８は、容器１０４の内部の水位を検知する。水位センサまたは水量センサとしての水位検知部４０８は、電気的または電子的に制御部１８０（図５参照）に接続されている。水位検知部４０８は、オゾン検知部の一例である。
【００９８】
なお、以下に説明する事項を除いて、第４実施形態に係るオゾン水生成装置の制御部の構成は、第２実施形態に係るオゾン水生成装置２００の制御部１８０（図５参照）と同様である。データ読み取り部１８１は、水位検知部４０８から送信される信号を受け取る。水位検知部４０８から送信される信号には、容器１０４の内部の水位の情報が含まれている。判断部１８２は、データ読み取り部１８１が受け取った信号に基づき、容器１０４の内部の水位が所定の水位よりも上方であるかどうか、または、水位が所定の水位に達したか否かを判定する。
【００９９】
判断部１８２によって、例えば水位が所定の水位よりも上方であることが判定される場合には、オゾン発生制御部１８３は、オゾンの生成を停止させるようにオゾン発生器１２０の電極に印加される電圧を調整することにより、オゾン発生器１２０を制御する。
【０１００】
このようにして、制御部１８０は、容器１０４の内部の水位が所定の水位以上である場合に、オゾンの生成を停止させるようにオゾン発生器１２０を制御する。つまり、制御部１８０は、水位検知部４０８によって検知される容器１０４の内部の水位に基づいてオゾンが検知される場合に、オゾンの生成を停止させるようにオゾン発生器１２０を制御する。
【０１０１】
第１実施形態に係るオゾン水生成装置１００と第２実施形態に係るオゾン水生成装置２００と第３実施形態に係るオゾン水生成装置と第４実施形態に係るオゾン水生成装置とのうち、例えばオゾン水生成装置１００は、衛生器具用洗浄装置に用いることができる。衛生器具には、例えば、便所、洗面所、または、浴室に用いられた大小便器、手洗い器、洗面器、または、浴槽等が含まれる。つまり、オゾン水生成装置１００を備えた衛生器具用洗浄装置は、例えば、便所、洗面所、もしくは、浴室に用いられる器具、または、便所、洗面所、もしくは、浴室を洗浄するための装置である。
【０１０２】
例えば、図９に示すように、小便器９０１，９０２，９０３を洗浄するための衛生器具用洗浄装置９５０が便所９００に設置されている。便所９００は、衛生器具設備の一例である。衛生器具用洗浄装置９５０は、小便器９０１，９０２，９０３を含む便器に水を供給するための配管９１０に接続されている。衛生器具用洗浄装置９５０は、オゾン水生成装置１００を備えている。配管９１０を流通する水が衛生器具用洗浄装置９５０を通過するときに水にオゾンが溶解されることにより、オゾン水が生成される。衛生器具用洗浄装置９５０を通過した後に配管９１０を流通するオゾン水は、小便器９０１，９０２，９０３を含む便器に供給される。
【０１０３】
また例えば、図１０に示すように、小便器９２０は、衛生陶器９２１を洗浄するための衛生器具用洗浄装置９２２を備えている。小便器９２０は、衛生器具の一例である。衛生器具用洗浄装置９２２は、小便器９２０の上部に配置されている。衛生器具用洗浄装置９２２は、オゾン水生成装置１００を備えている。
【０１０４】
さらに例えば、図１１に示すように、大便器９４０は、洗浄便座９３０を備えている。洗浄便座９３０は、オゾン水生成装置１００を備えた洗浄ユニット９３４と、便座カバー９３３と、便座９３２とを有する。洗浄ユニット９３４は、衛生陶器９３１を洗浄するための衛生器具用洗浄装置の一例である。大便器９４０は、衛生器具の一例である。
【０１０５】
オゾン水生成装置１００を備えた衛生器具用洗浄装置は、筐体１０１（図１参照）の内部において気体状態のオゾンが漏出する場合でも、筐体１０１の外部へのオゾンの放出を防止することができるとともに、筐体の内部にオゾンがさらに漏出することを防止することができる。そのため、オゾン水生成装置１００を備えた衛生器具用洗浄装置は、オゾンガスの漏出によって環境に悪影響が及ぼされることを防止することができる。
【０１０６】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１０７】
６０：弁、１００：オゾン水生成装置、１０１：筐体、１０８：オゾン検知部、１１４：気体流路、１２０：オゾン発生器、１２１：液体流路、１３０：エジェクタ、１４０：気液分離部、１４３：流出口、１８０：制御部
【図１】
2013123650.tif 000003
【図２】
2013123650.tif 000004
【図３】
2013123650.tif 000005
【図４】
2013123650.tif 000006
【図５】
2013123650.tif 000007
【図６】
2013123650.tif 000008
【図７】
2013123650.tif 000009
【図８】
2013123650.tif 000010
【図９】
2013123650.tif 000011
【図１０】
2013123650.tif 000012
【図１１】
2013123650.tif 000013